【手続補正書】
【提出日】平成18年9月28日(2006.9.28)
【手続補正１】
【補正対象書類名】明細書
【補正対象項目名】特許請求の範囲
【補正方法】変更
【補正の内容】
【特許請求の範囲】
【請求項１】 以下の化学構造、
【化１】
2002509139.tif 000001
を有する４−アミノ−４−デオキシ−５，８，１０−トリデアザプテロイル−４’−メチレングルタミン酸（１）又は薬理学的に許容されうるその塩。
【請求項２】 以下の化学構造、
【化２】
2002509139.tif 000002
を有する４−アミノ−４−デオキシ−１０−メチル−５，８，１０−トリデアザプテロイル−４’−メチレングルタミン酸（１ａ）又は薬理学的に許容されうるその塩。
【請求項３】 以下の化学構造、
【化３】
2002509139.tif 000003
を有する４−アミノ−４−デオキシ−１０−エチル−５，８，１０−トリデアザプテロイル−４’−メチレングルタミン酸（１ｂ）又は薬理学的に許容されうるその塩。
【請求項４】 以下の化学構造、
【化４】
2002509139.tif 000004
を有する４−アミノ−４−デオキシ−５，８−ジデアザプテロイル−４’−メチレングルタミン酸（１ｃ）又は薬理学的に許容されうるその塩。
【請求項５】 以下の化学構造、
【化５】
2002509139.tif 000005
を有する４−アミノ−４−デオキシ−１０−メチル−５，８−ジデアザプテロイル−４’−メチレングルタミン酸（１ｄ）又は薬理学的に許容されうるその塩。
【請求項６】葉酸拮抗剤に応答する新生物の増殖を治療するための製薬的組成物であって、前記新生物の増殖を阻止するための、製薬的に許容されうる担体、希釈剤もしくは抗腫瘍剤を伴なう若しくは伴なわない、治療上有効な且つ無毒性量の４−アミノ−４−デオキシ−５，８，１０−トリデアザプテロイル−４’−メチレングルタミン酸（１）又は薬理学的に許容されうるその塩を含む製薬的組成物。
【請求項７】 葉酸拮抗剤に応答する新生物の増殖を治療するための製薬的組成物であって、前記新生物の増殖を阻止するための、製薬的に許容されうる担体、希釈剤もしくは抗腫瘍剤を伴なう若しくは伴なわない、治療上有効な且つ無毒性量の４−アミノ−４−デオキシ−１０−メチル−５，８，１０−トリデアザ−プテロイル−４’−メチレングルタミン酸（１ａ）又は薬理学的に許容されうるその塩を含む製薬的組成物。
【請求項８】 葉酸拮抗剤に応答する新生物の増殖を治療するための製薬的組成物であって、前記新生物の増殖を阻止するための、製薬的に許容されうる担体、希釈剤もしくは抗腫瘍剤を伴なう若しくは伴なわない、治療上有効な且つ無毒性量の４−アミノ−４−デオキシ−１０−エチル−５，８，１０−トリデアザプテロイル−４’−メチレングルタミン酸（１ｂ）又は薬理学的に許容されうるその塩を含む製薬的組成物。
【請求項９】 葉酸拮抗剤に応答する新生物の増殖を治療するための製薬的組成物であって、前記新生物の増殖を阻止するための、製薬的に許容されうる担体、希釈剤もしくは抗腫瘍剤を伴なう若しくは伴なわない、治療上有効な且つ無毒性量の４−アミノ−４−デオキシ−５，８−ジデアザプテロイル−４’−メチレングルタミン酸（１ｃ）又は薬理学的に許容されうるその塩を含む、葉酸拮抗剤に応答する新生物の増殖を治療するための製薬的組成物。
【請求項１０】 葉酸拮抗剤に応答する新生物の増殖を治療するための製薬的組成物であって、前記新生物の増殖を阻止するための、製薬的に許容されうる担体、希釈剤もしくは抗腫瘍剤を伴なう若しくは伴なわない、治療上有効な且つ無毒性量の４−アミノ−４−デオキシ−１０−メチル−５，８−ジデアザプテロイル−４’−メチレングルタミン酸（１ｄ）又は薬理学的に許容されうるその塩を含む製薬的組成物。
【請求項１１】 アレルゲンまたは自己免疫応答によって生ずる炎症を治療するための製薬的組成物であって、炎症を改善するための、製薬的に許容されうる担体もしくは希釈剤を伴なう若しくは伴なわない、治療上有効な且つ無毒性量の４−アミノ−４−デオキシ−５，８，１０−トリデアザプテロイル−４’−メチレングルタミン酸（１）又は薬理学的に許容されうるその塩を含む製薬的組成物。
【請求項１２】 アレルゲンまたは自己免疫応答によって生ずる炎症を治療するための製薬的組成物であって、炎症を改善するための、製薬的に許容されうる担体もしくは希釈剤を伴なう若しくは伴なわない、治療上有効な且つ無毒性量の４−アミノ−４−デオキシ−１０−メチル−５，８，１０−トリデアザプテロイル−４’−メチレングルタミン酸（１ａ）又は薬理学的に許容されうるその塩を含む製薬的組成物。
【請求項１３】 アレルゲンまたは自己免疫応答によって生ずる炎症を治療するための製薬的組成物であって、炎症を改善するための、製薬的に許容されうる担体もしくは希釈剤を伴なう若しくは伴なわない、治療上有効な且つ無毒性量の４−アミノ−４−デオキシ−１０−エチル−５，８，１０−トリデアザ−４’−メチレングルタミン酸（１ｂ）又は薬理学的に許容されうるその塩を含む製薬的組成物。
【請求項１４】 アレルゲンまたは自己免疫応答によって生ずる炎症を治療するための製薬的組成物であって、炎症を改善するための、製薬的に許容されうる担体もしくは希釈剤を伴なう若しくは伴なわない、治療上有効な且つ無毒性量の４−アミノ−４−デオキシ−５，８−ジデアザプテロイル−４’−メチレングルタミン酸（１ｃ）又は薬理学的に許容されうるその塩を含む製薬的組成物。
【請求項１５】 アレルゲンまたは自己免疫応答によって生ずる炎症を治療するための製薬的組成物であって、炎症を改善するための、製薬的に許容されうる担体もしくは希釈剤を伴なう若しくは伴なわない、治療上有効な且つ無毒性量の４−アミノ−４−デオキシ−１０−メチル−５，８−ジデアザプテロイル−４’−メチレングルタミン酸（１ｄ）又は薬理学的に許容されうるその塩を含む製薬的組成物。
【請求項１６】新生物増殖を治療するための薬剤の製造における、製薬的に許容されうる担体、希釈剤もしくは抗腫瘍剤を伴なう若しくは伴なわない、４−アミノ−４−デオキシ−５，８，１０−トリデアザプテロイル−４’−メチレングルタミン酸（１）又は薬理学的に許容されうるその塩の使用。
【請求項１７】新生物増殖を治療するための薬剤の製造における、製薬的に許容されうる担体、希釈剤もしくは抗腫瘍剤を伴なう若しくは伴なわない、４−アミノ−４−デオキシ−１０−メチル−５，８，１０−トリデアザプテロイル−４’−メチレングルタミン酸（１ａ）又は薬理学的に許容されうるその塩の使用。
【請求項１８】新生物増殖を治療するための薬剤の製造における、製薬的に許容されうる担体、希釈剤もしくは抗腫瘍剤を伴なう若しくは伴なわない、４−アミノ−４−デオキシ−１０−エチル−５，８，１０−トリデアザ−４’−メチレングルタミン酸（１ｂ）又は薬理学的に許容されうるその塩の使用。
【請求項１９】新生物増殖を治療するための薬剤の製造における、製薬的に許容されうる担体、希釈剤もしくは抗腫瘍剤を伴なう若しくは伴なわない、４−アミノ−４−デオキシ−５，８−ジデアザプテロイル−４’−メチレングルタミン酸（１ｃ）又は薬理学的に許容されうるその塩の使用。
【請求項２０】新生物増殖を治療するための薬剤の製造における、製薬的に許容されうる担体、希釈剤もしくは抗腫瘍剤を伴なう若しくは伴なわない、４−アミノ−４−デオキシ−１０−メチル−５，８−ジデアザプテロイル−４’−メチレングルタミン酸（１ｄ）又は薬理学的に許容されうるその塩の使用。
【請求項２１】アレルゲンまたは自己免疫応答によって生ずる炎症性疾患を治療するための薬剤の製造における、製薬的に許容されうる担体もしくは希釈剤を伴なう若しくは伴なわない、４−アミノ−４−デオキシ−５，８，１０−トリデアザプテロイル−４’−メチレングルタミン酸（１）又は薬理学的に許容されうるその塩の使用。
【請求項２２】アレルゲンまたは自己免疫応答によって生ずる炎症性疾患を治療するための薬剤の製造における、製薬的に許容されうる担体もしくは希釈剤を伴なう若しくは伴なわない、４−アミノ−４−デオキシ−１０−メチル−５，８，１０−トリデアザプテロイル−４’−メチレングルタミン酸（１ａ）又は薬理学的に許容されうるその塩の使用。
【請求項２３】アレルゲンまたは自己免疫応答によって生ずる炎症性疾患を治療するための薬剤の製造における、製薬的に許容されうる担体もしくは希釈剤を伴なう若しくは伴なわない、４−アミノ−４−デオキシ−１０−エチル−５，８，１０−トリデアザプテロイル−４’−メチレングルタミン酸（１ｂ）又は薬理学的に許容されうるその塩の使用。
【請求項２４】アレルゲンまたは自己免疫応答によって生ずる炎症性疾患を治療するための薬剤の製造における、製薬的に許容されうる担体もしくは希釈剤を伴なう若しくは伴なわない、４−アミノ−４−デオキシ−５，８−ジデアザプテロイル−４’−メチレングルタミン酸（１ｃ）又は薬理学的に許容されうるその塩の使用。
【請求項２５】アレルゲンまたは自己免疫応答によって生ずる炎症性疾患を治療するための薬剤の製造における、製薬的に許容されうる担体もしくは希釈剤を伴なう若しくは伴なわない、４−アミノ−４−デオキシ−１０−メチル−５，８−ジデアザプテロイル−４’−メチレングルタミン酸（１ｄ）又は薬理学的に許容されうるその塩の使用。
【請求項２６】 喘息を改善するための、製薬的に許容されうる担体もしくは希釈剤を伴なう若しくは伴なわない、治療上有効な且つ無毒性量の４−アミノ−４−デオキシ−５，８，１０−トリデアザプテロイル−４’−メチレングルタミン酸（１）又は薬理学的に許容されうるその塩を含む、喘息を治療するための製薬的組成物。
【請求項２７】 喘息を改善するための、製薬的に許容されうる担体もしくは希釈剤を伴なう若しくは伴なわない、治療上有効な且つ無毒性量の４−アミノ−４−デオキシ−１０−メチル−５，８，１０−トリデアザプテロイル−４’−メチレングルタミン酸（１ａ）又は薬理学的に許容されうるその塩を含む、喘息を治療するための製薬的組成物。
【請求項２８】 喘息を改善するための、製薬的に許容されうる担体もしくは希釈剤を伴なう若しくは伴なわない、治療上有効な且つ無毒性量の４−アミノ−４−デオキシ−１０−エチル−５，８，１０−トリデアザ−４’−メチレングルタミン酸（１ｂ）又は薬理学的に許容されうるその塩を含む、喘息を治療するための製薬的組成物。
【請求項２９】 喘息を改善するための、製薬的に許容されうる担体もしくは希釈剤を伴なう若しくは伴なわない、治療上有効な且つ無毒性量の４−アミノ−４−デオキシ−５，８−ジデアザプテロイル−４’−メチレングルタミン酸（１ｃ）又は薬理学的に許容されうるその塩を含む、喘息を治療するための製薬的組成物。
【請求項３０】 喘息を改善するための、製薬的に許容されうる担体もしくは希釈剤を伴なう若しくは伴なわない、治療上有効な且つ無毒性量の４−アミノ−４−デオキシ−１０−メチル−５，８−ジデアザプテロイル−４’−メチレングルタミン酸（１ｄ）又は薬理学的に許容されうるその塩を含む、喘息を治療するための製薬的組成物。
【請求項３１】 以下の化学構造
【化６】
2002509139.tif 000006
を有し、４−メチレングルタメート部分が「Ｌ」配置である４−アミノ−４−デオキシ−５，８，１０−トリデアザプテロイル−４’−メチレングルタミン酸（１）又は薬理学的に許容されうるその塩。
【請求項３２】 以下の化学構造
【化７】
2002509139.tif 000007
を有し、４−メチレングルタメート部分が「Ｄ」配置である４−アミノ−４−デオキシ−５，８，１０−トリデアザプテロイル−４’−メチレングルタミン酸（１）又は薬理学的に許容されうるその塩。
【請求項３３】  以下の化学構造
【化８】
2002509139.tif 000008
を有し、４−メチレングルタメート部分が「Ｌ」配置である４−アミノ−４−デオキシ−１０−メチル−５，８−ジデアザプテロイル−４’−メチレングルタミン酸又は薬理学的に許容されうるその塩。
【請求項３４】 以下の化学構造
【化９】
2002509139.tif 000009
を有し、４−メチレングルタメート部分が「Ｌ」配置である４−アミノ−４−デオキシ−５，８−ジデアザプテロイル−４’−メチレングルタミン酸又は薬理学的に許容されうるその塩。
【請求項３５】  前記薬理学的に許容されうる塩が、ナトリウム塩若しくはカリウム塩である、請求項１〜５及び３１〜３４のいずれか１項に記載の化合物。
【請求項３６】  前記薬理学的に許容されうる塩が、ナトリウム塩若しくはカリウム塩である、請求項６〜１５及び２６〜３０のいずれか１項に記載の製薬的組成物。
【請求項３７】  前記薬理学的に許容されうる塩が、ナトリウム塩若しくはカリウム塩である、請求項１６〜２５のいずれか１項に記載の使用。